(57)【要約】      （修正有）【課題】手が塞がることなく、頭髪に付着した水分の拭き取り作業を休止できるヘアドライタオルを提供する。【解決手段】頭髪に付着した水分を拭き取るためのヘアドライタオル１０である。タオル本体２０は二等辺三角形状をなしており、底辺部２５と一対の斜辺部２６を有している。タオル本体２０の底辺部２５のうちの両端部は、相互にホックによって着脱可能に結合され得る。タオル本体２０の底辺部２５にはゴム紐３０が配設されており、底辺部２５が弾性的に伸縮可能とされている。タオル本体２０の一対の斜辺部２６は外側に凸状に湾曲している。【選択図】図１Ａ
0003214650.tif 000002
【実用新案登録請求の範囲】
【請求項１】
頭髪に付着した水分を拭き取るためのヘアドライタオルであって、
底辺部と一対の斜辺部を有するほぼ二等辺三角形状をなすタオル本体を有し、
そのタオル本体の底辺部のうちの両端部が相互にホックによって着脱可能に結合され得る、
ヘアドライタオル。
【請求項２】
請求項１に記載のヘアドライタオルであって、
前記タオル本体の前記底辺部にはゴム紐が配設され当該底辺部が弾性的に伸縮可能とされている、
ヘアドライタオル。
【請求項３】
請求項１又は請求項２に記載のヘアドライタオルであって、
前記タオル本体の前記一対の斜辺部は外側に凸状に湾曲している、
ヘアドライタオル。
【請求項４】
請求項１〜請求項３のいずれかに記載のヘアドライタオルであって、
結び目及び一対のループを有するリボンを有し、当該リボンが前記結び目において前記タオル本体に結合されている、
ヘアドライタオル。
【考案の詳細な説明】
【技術分野】
【０００１】
本考案は、頭髪に付着した水分を吸収するためのタオルに関するものである。
【背景技術】
【０００２】
シャワー，入浴，水泳等の後には、それによって濡れた頭髪について、その水分を取り除く必要がある。すなわち、髪の毛を乾かす必要がある。
その際、通常は、まずは第１段階として、頭髪に付着した水分の大半をタオルで拭き取り、その後に第２段階として、残った水分をドライヤで蒸発させる、ということが行われている。
そして、第１段階の水分の拭き取りのために、従来は、一般的な長方形状のタオル（特に、バスタオル）が使用されている。
【０００３】
ところで、一般的な長方形状のタオルを使用する場合は、基本的に両手でそのタオルを把持しつつ、頭髪に付着した水分を拭き取る必要がある。
また、その途中で拭き取り作業を休止する際には、そのタオルを手で頭部に保持するか、そのタオルを頭部から外して他の場所に維持させる必要がある。
【０００４】
しかしながら、タオルを手で頭部に保持する場合は、その手で塞がって、別の作業を行うことができない。また、タオルを他の場所に維持させる場合は、そのための場所を確保する必要があるとともに、頭髪に付着した水分のうちのある程度以上が除去されている必要がある。
【０００５】
なお、本考案に関連する先行技術として、特許文献１に記載されているものがある。
【先行技術文献】
【特許文献】
【０００６】
【特許文献１】特開２０１１−３０９９６号公報
【考案の概要】
【考案が解決しようとする課題】
【０００７】
本考案は、手が塞がることなく、頭髪に付着した水分の拭き取り作業を休止できるようにすることを課題とする。
【課題を解決するための手段】
【０００８】
この課題を解決するために、請求項１に係る考案は、頭髪に付着した水分を拭き取るためのヘアドライタオルであって、底辺部と一対の斜辺部を有するほぼ二等辺三角形状をなすタオル本体を有し、そのタオル本体の底辺部のうちの両端部が相互にホックによって着脱可能に結合され得る、ヘアドライタオルである。
【０００９】
「ほぼ二等辺三角形状」には「ほぼ正三角形状」が含まれる。
【００１０】
この考案のヘアドライタオルでは、タオル本体の底辺部が使用者の頭部を一巡した状態で、その両端部が使用者の額の近傍においてホックによって結合されることによって、タオル本体が使用者の頭部に取り付けられる。
その状態で、タオル本体の頂点部（一対の斜辺部の交点）がタオル本体の底辺部と使用者の頭部との間の隙間に差し込まれることによって、タオル本体が使用者の頭髪を被覆しつつ、頭部に取り付けられる。
このため、使用者が両手をタオル本体から外した状態でも、タオル本体が使用者の頭髪を被覆しつつ頭部に維持される。こうして、容易に拭き取り作業を休止することが可能である。
【００１１】
請求項２に係る考案は、請求項１に係る考案のヘアドライタオルであって、前記タオル本体の前記底辺部にはゴム紐が配設され当該底辺部が弾性的に伸縮可能とされている、ヘアドライタオルである。
【００１２】
この考案のヘアドライタオルでは、請求項１に係る考案のヘアドライタオルの作用効果に加えて、次の作用効果が得られる。
すなわち、このヘアドライタオルでは、タオル本体の底辺部が弾性的に伸縮可能であるため、使用者の頭部に容易にかつ確実に取り付けることができる。
すなわち、タオル本体の底辺部を弾性的に延ばした状態でその両端部を結合させることによって、当該底辺部が弾性的に縮もうとし、タオル本体が使用者の頭部に安定的に維持される。
【００１３】
請求項３に係る考案は、請求項１又は請求項２に係る考案のヘアドライタオルであって、前記タオル本体の前記一対の斜辺部は外側に凸状に湾曲している、ヘアドライタオルである。
【００１４】
この考案のヘアドライタオルでは、請求項１又は請求項２に係る考案のヘアドライタオルの作用効果に加えて、次の作用効果が得られる。
すなわち、このヘアドライタオルでは、タオル本体の一対の斜辺部が外側に凸状に湾曲しているため、その分タオル本体が大きなものとなり、より確実に使用者の頭髪を被覆することができる。
【００１５】
請求項４に係る考案は、請求項１〜請求項３のいずれかに係る考案のヘアドライタオルであって、結び目及び一対のループを有するリボンを有し、当該リボンが前記結び目において前記タオル本体に結合されている、ヘアドライタオルである。
【００１６】
この考案のヘアドライタオルでは、請求項１〜請求項３のいずれかに係る考案のヘアドライタオルの作用効果に加えて、次の作用効果が得られる。
すなわち、このヘアドライタオルでは、タオル本体とリボンとの間に棒材が存在するようにして、当該棒材を有するタオル係止部に容易に係止することができる。
【図面の簡単な説明】
【００１７】
【図１Ａ】本考案の一実施例のヘアドライタオルのおもて面図である。
【図１Ｂ】本考案の一実施例のヘアドライタオルの裏面図である。
【図２】本考案の一実施例のヘアドライタオルの使用方法を示す図である。
【図３】本考案の一実施例のヘアドライタオルの係止状態を示す図である。
【考案を実施するための形態】
【００１８】
次に、本考案の一実施例について、図面に基づいて説明する。
図１Ａ及び図１Ｂに示すように、このヘアドライタオル１０は、タオル本体２０を有している。タオル本体２０は、文字通りタオル地の布材によって形成されている。
すなわち、タオル本体２０は可撓性を有する面状をしており、おもて面２１及び裏面２２を有し、その両方又は一方には、パイル又はシャーリング（いずれも図示省略）が設けられている。
【００１９】
タオル本体２０は、ほぼ二等辺三角形状をしており、さらには、ほぼ正三角形状をしている。
すなわち、タオル本体２０は、底辺部２５と一対の斜辺部２６を有している。両斜辺部２６は同一の長さを有している。両斜辺部２６の交点が頂点部２７である。また、底辺部２５は、両斜辺部２６とほぼ同一の長さを有している。
両斜辺部２６は外側に凸状に湾曲している。
底辺部２５は、人体の頭部の大きさに対応した長さを有している。これについては後に詳述する。
【００２０】
底辺部２５には、ゴム紐３０が設けられている。すなわち、底辺部２５は頂点部２７に向けて折り返されて、筒状のゴム紐挿入部（符号省略）が形成されている。ゴム紐挿入部にゴム紐３０が挿入されており、そのゴム紐３０の両端部はゴム紐挿入部の両端部（底辺部２５の両端部）に縫い付けられている。
自然状態のゴム紐３０の長さは自然状態の底辺部２５の長さよりも短く、ゴム紐３０によって、底辺部２５は自然状態よりも縮小されている。
こうして、底辺部２５は、弾性的に伸縮可能である。
【００２１】
タオル本体２０の底辺部２５の両端部は、ホックによって着脱可能に結合され得る。
すなわち、底辺部２５の一端部（おもて面２１における右端部）にはホック（オス）４０ａが設けられており、底辺部２５の他端部（裏面２２における右端部）にはホック（メス）４０ｂが設けられている。
そして、ホック（オス）４０ａとホック（メス）４０ｂとが着脱可能に結合されることによって、底辺部２５の両端部が着脱可能に結合されるのである。
【００２２】
タオル本体２０の底辺部２５の一端部（裏面２２における左端部）には、リボン５０が設けられている。
リボン５０は、中央の結び目５１を中心に相反する左右方向に延びる一対のループ５２を有している。リボン５０は、その結び目５１において、タオル本体２０の裏面２２のうちの底辺部２５の左端部に取り付けらている。
【００２３】
次に、このヘアドライタオル１０の使用方法及び作用効果について、図２に基づいて説明する。
図２（ａ）に示すように、使用者は、自身の頭部に対して、次のように、このヘアドライタオル１０を取り付ける。
このヘアドライタオル１０の裏面をおもて側にしつつ、タオル本体２０の底辺部２５が上方になり頂点部２７が下方になる姿勢として、タオル本体２０の底辺部２５が使用者の頭部を一巡する状態とする。その際、底辺部２５の両端部を使用者の額の近傍に位置づける。また、底辺部２５の中央部を使用者の首の後部に位置づける。
【００２４】
図２（ａ）→（ｂ）に示すように、その状態で、タオル本体２０の両端部を結合させる。すなわち、ホック（オス）４０ａとホック（メス）４０ｂとを結合させる。こうして、ヘアドライタオル１０を使用者の頭部に取り付ける。
すなわち、リボン５０が使用者の額に位置し、タオル本体２０の底辺部２５が使用者の額と首の後部にわたって水平から傾斜しつつ、使用者の頭部を一巡した状態で、タオル本体２０が使用者の頭部に取り付けられる。
その際、使用者の頭髪がタオル本体２０よりもおもて側（頭皮から離隔する方向）に位置するようにする。
【００２５】
上述の際、タオル本体２０の底辺部２５にはゴム紐３０が設けられているために、使用者の頭部に容易にかつ確実に取り付けることができる。すなわち、底辺部２５を弾性的に延ばした状態でホック（オス）４０ａとホック（メス）４０ｂとを結合させ、底辺部が弾性的に元の長さに戻ろうとすることによって、タオル本体２０は、使用者の頭部に安定的に維持される。
底辺部２５は、そのような長さに設定されている。
【００２６】
次に、図２（ｂ）→（ｃ）に示すように、タオル本体２０のうちの頂点部２７を持ち上げ、使用者の頭部の上方において前方に移動させ、使用者の近傍に位置づけ、底辺部２５の内側に差し込む。すなわち、タオル本体２０の頂点部２７をタオル本体２０の底辺部２５と使用者の頭部との間の隙間に差し込む。
こうして、タオル本体２０の頂点部２７が維持されるとともに、タオル本体２０によって使用者の頭髪が被覆される。
なお、このヘアドライタオル１０では、タオル本体２０が単に二等辺三角形（正三角形状）をしているのみでなく、一対の斜辺部２６は外側に凸状に湾曲しているため、より確実に使用者の頭髪が被覆される。
【００２７】
以上のようにして、このヘアドライタオル１０では、タオル本体２０によって使用者の頭髪が被覆されるとともに、タオル本体２０は使用者の頭部に維持される。
そして、使用者がタオル本体２０を使用者の頭部に向けて押圧しつつ小刻みに往復移動させることによって、使用者の頭髪に付着した水分を拭き取ることができる。
【００２８】
そして、その拭き取り作業を休止する際には、使用者又は補助者がタオル本体２０から手を外すことが可能である。そうしても、このヘアドライタオル１０は、使用者の頭部に維持されている。
このようにして、使用者は、ヘアドライタオル１０を自身の頭部に維持させつつ、拭き取り作業を休止して、自身の両手をタオル本体２０から外して、他の作業を行うことができるのである。
【００２９】
また、図３に示すように、このヘアドライタオル１０を使用しない場合は、リボン５０において、このヘアドライタオル１０をループ状等のタオル係止部Ｈに容易に係止することができる。
すなわち、タオル係止部Ｈを形成する棒材を基準に、一方にタオル本体２０が位置し、他方にリボン５０が存在するようにすることによって、このヘアドライタオル１０が容易に係止される。
【００３０】
なお、上記のものはあくまで本考案の一実施例にすぎず、当業者の知識に基づき種々の変更を加えた態様で本考案を実施できることはもちろんである。
【符号の説明】
【００３１】
１０  ヘアドライタオル
２０  タオル本体
２５  底辺部
２６  斜辺部
２７  頂点部
３０  ゴム紐
４０ａ  ホック（オス）
４０ｂ  ホック（メス）
５０  リボン
５１  結び目
５２  ループ
【図１Ａ】
0003214650.tif 000003
【図１Ｂ】
0003214650.tif 000004
【図２】
0003214650.tif 000005
【図３】
0003214650.tif 000006